(57)【要約】      （修正有）【課題】密閉キャビティ内特有の高品質の音色を完璧に体現可能なデュアル磁気回路・ダブルキャビティ・二重制動ラッパを提供する。【解決手段】当該ラッパは、外ブラケット１０、内磁気案内板２０、内マグネットリング３０、外マグネットリング４０、振動サウンドフィルム５０及びボイスコイル６０を備え、内磁気案内板が外ブラケット内に設けられ、内磁気案内板に第１音導孔２１が開口され、第１音導孔の下方に順次第１制動調音布７１と第２制動調音布７２とが封止され、第１制動調音布の上方に第１制動トーンキャビティ７０１が形成され、第２制動調音布と第１制動調音布との間に第２制動トーンキャビティ７０２が形成され、内マグネットリングが内磁気案内板に設けられ、外マグネットリングが内マグネットリングの周囲に位置するとともに内マグネットリングとの間でボイスコイル音響キャビティ３０１を形成する。【選択図】図１
0003217576.tif 000002
【実用新案登録請求の範囲】
【請求項１】
外ブラケットと、内磁気案内板と、内マグネットリングと、外マグネットリングと、振動サウンドフィルムと、ボイスコイルとを備え、
当該内磁気案内板が外ブラケット内に設けられ、当該内磁気案内板に第１音導孔が開口され、第１音導孔の下方に順次第１制動調音布と第２制動調音布とが封止され、第１制動調音布の上方に第１制動トーンキャビティが形成され、第２制動調音布と第１制動調音布との間に第２制動トーンキャビティが形成され、当該内マグネットリングが内磁気案内板に設けられ、当該外マグネットリングが内マグネットリングの周囲に位置するとともに内マグネットリングとの間でボイスコイル音響キャビティを形成し、当該振動サウンドフィルムが外ブラケットの上端開口を覆い、振動サウンドフィルムの縁下方に振動膜縁音響キャビティが形成され、当該ボイスコイルが振動サウンドフィルムの底面に固定されるとともにボイスコイル音響キャビティ内に進入することを特徴とするデュアル磁気回路・ダブルキャビティ・二重制動ラッパ。
【請求項２】
前記内磁気案内板の底面中心に凹状キャビティが設けられ、対応する内磁気案内板の表面中心にボスが設けられ、上記第１音導孔がボスに設けられて凹状キャビティに連通し、上記内マグネットリングが凹状キャビティ内に嵌められ、当該第１制動調音布が内マグネットリングの底面上に積層されて凹状キャビティ内に位置することを特徴とする請求項１に記載のデュアル磁気回路・ダブルキャビティ・二重制動ラッパ。
【請求項３】
前記外ブラケットの底部に第２音導孔が開口され、当該第２制動調音布が第２音導孔を覆うことを特徴とする請求項１に記載のデュアル磁気回路・ダブルキャビティ・二重制動ラッパ。
【請求項４】
前記外マグネットリングが内磁気案内板の表面周縁に積層されて外ブラケット内に位置し、外マグネットリング上に磁極板が積層されていることを特徴とする請求項１に記載のデュアル磁気回路・ダブルキャビティ・二重制動ラッパ。
【請求項５】
前記外ブラケットの底部に回路基板が設けられ、当該ボイスコイルが回路基板に電気的に接続されていることを特徴とする請求項１に記載のデュアル磁気回路・ダブルキャビティ・二重制動ラッパ。
【請求項６】
前記内磁気案内板の底面中心に凹状キャビティが設けられ、対応する内磁気案内板の表面中心にボスが設けられ、上記第１音導孔がボスに設けられて凹状キャビティに連通し、上記内マグネットリングがボス外に嵌合され、内マグネットリング上に内磁極板が積層され、当該第１制動調音布が凹状キャビティ内に設けられ、当該外マグネットリングが内磁気案内板の表面周縁に積層されるとともに外ブラケット内に位置し、外マグネットリング上に外磁極板が積層されていることを特徴とする請求項１に記載のデュアル磁気回路・ダブルキャビティ・二重制動ラッパ。
【請求項７】
前記内磁気案内板の底部中心から下方へ延在して筒体が形成され、当該内マグネットリングが筒体外に嵌合されるとともに外ブラケット内に位置し、当該外マグネットリングが外ブラケットの外部に嵌合されることを特徴とする請求項１に記載のデュアル磁気回路・ダブルキャビティ・二重制動ラッパ。
【請求項８】
前記筒体の外端が下方に沿って外ブラケットの底部から伸び出て、筒体の外端に制動蓋が取り付けられ、当該第１制動調音布が筒体内に設けられ、第２制動調音布が制動蓋の底部に積層されるとともに筒体の底部開口を覆うことを特徴とする請求項７に記載のデュアル磁気回路・ダブルキャビティ・二重制動ラッパ。
【考案の詳細な説明】
【技術分野】
【０００１】
本考案は、音響デバイス分野技術、特にデュアル磁気回路・ダブルキャビティ・二重制動ラッパに関する。
【背景技術】
【０００２】
スピーカは、「ラッパ」と別称し、電気信号を音信号に変換するトランスデューサーであり、スピーカの性能の良否が音質へ大きな影響を与える。スピーカは、音響機器において最も脆いデバイスである一方、音響効果に関して最も重要な部品である。スピーカは、種類が多く、価格も大きく相違している。オーディオ電気エネルギーの電磁、圧電或いは静電効果により、スピーカのペーパーコーンやダイヤフラムが振動して周囲の空気と共振（共鳴）して音を発する。
【０００３】
現在、既存の小型スピーカユニットの内部磁気回路系が比較的に薄く、マグネットリングが１枚のみある。そして、既存のスピーカユニット内において、ボイスコイルの底部と磁気回路系の間に密閉性のトーンキャビティが存在するが、ダブルトーンキャビティの構造設計及び二重制動の調音設計がないため、密閉キャビティの高品質の音色を引き出すことができない。したがって、現在のスピーカを改良する必要がある。
【考案の概要】
【考案が解決しようとする課題】
【０００４】
それに鑑みて、本考案は、従来技術に存在する欠陥に向けて、その主な目的が従来のスピーカの内部磁気回路系が薄くて音色が理想ではない問題を有効に解決可能なデュアル磁気回路・ダブルキャビティ・二重制動ラッパを提供することにある。
【課題を解決するための手段】
【０００５】
上記目的を達成すべく、本考案は、以下の解決手段を講じる。
【０００６】
デュアル磁気回路・ダブルキャビティ・二重制動ラッパは、外ブラケットと、内磁気案内板と、内マグネットリングと、外マグネットリングと、振動サウンドフィルムと、ボイスコイルとを備え、当該内磁気案内板が外ブラケット内に設けられ、当該内磁気案内板に第１音導孔が開口され、第１音導孔の下方に順次第１制動調音布と第２制動調音布とが封止され、第１制動調音布の上方に第１制動トーンキャビティが形成され、第２制動調音布と第１制動調音布との間に第２制動トーンキャビティが形成され、当該内マグネットリングが内磁気案内板に設けられ、当該外マグネットリングが内マグネットリングの周囲に位置するとともに内マグネットリングとの間でボイスコイル音響キャビティを形成し、当該振動サウンドフィルムが外ブラケットの上端開口を覆い、振動サウンドフィルムの縁下方に振動膜縁音響キャビティが形成され、当該ボイスコイルが振動サウンドフィルムの底面に固定されるとともにボイスコイル音響キャビティ内に進入する。
【０００７】
好ましくは、前記内磁気案内板の底面中心に凹状キャビティが設けられ、対応する内磁気案内板の表面中心にボスが設けられ、上記第１音導孔がボスに設けられて凹状キャビティに連通し、上記内マグネットリングが凹状キャビティ内に嵌められ、当該第１制動調音布が内マグネットリングの底面上に積層されて凹状キャビティ内に位置する。
【０００８】
好ましくは、前記外ブラケットの底部に第２音導孔が開口され、当該第２制動調音布が第２音導孔を覆う。
【０００９】
好ましくは、前記外マグネットリングが内磁気案内板の表面周縁に積層されて外ブラケット内に位置し、外マグネットリング上に磁極板が積層されている。
【００１０】
好ましくは、前記外ブラケットの底部に回路基板が設けられ、当該ボイスコイルが回路基板に電気的に接続されている。
【００１１】
好ましくは、前記内磁気案内板の底面中心に凹状キャビティが設けられ、対応する内磁気案内板の表面中心にボスが設けられ、上記第１音導孔がボスに設けられて凹状キャビティに連通し、上記内マグネットリングがボス外に嵌合され、内マグネットリング上に内磁極板が積層され、当該第１制動調音布が凹状キャビティ内に設けられ、当該外マグネットリングが内磁気案内板の表面周縁に積層されるとともに外ブラケット内に位置し、外マグネットリング上に外磁極板が積層されている。
【００１２】
好ましくは、前記内磁気案内板の底部中心から下方へ延在して筒体が形成され、当該内マグネットリングが筒体外に嵌合されるとともに外ブラケット内に位置し、当該外マグネットリングが外ブラケットの外部に嵌合される。
【００１３】
好ましくは、前記筒体の外端が下方に沿って外ブラケットの底部から伸び出て、筒体の外端に制動蓋が取り付けられ、当該第１制動調音布が筒体内に設けられ、第２制動調音布が制動蓋の底部に積層されるとともに筒体の底部開口を覆う。
【考案の効果】
【００１４】
本考案は、従来技術よりも格別なメリットと有利な作用効果を有する。具体的には、上記解決手段から分かるように、本考案では、内マグネットリングと外マグネットリングの設置により、デュアル磁気回路系の斬新な設計となり、従来のスピーカ内部の磁気回路系の強磁力問題を変更や改善可能であるとともに、斬新なダブルトーンキャビティ構造設計と二重制動の調音設計の設置により、密閉キャビティ内特有の高品質の音色を完璧に体現可能である。
【００１５】
本考案の構造特徴及び効果がより明瞭になるように、以下では図面と具体的な実施形態を組み合わせて本考案を詳細に説明する。
【図面の簡単な説明】
【００１６】
【図１】本考案の第１好適な実施形態の断面図である。
【図２】本考案の第２好適な実施形態の断面図である。
【図３】本考案の第３好適な実施形態の断面図である。
【考案を実施するための形態】
【００１７】
図１は、本考案の第１好適な実施形態の具体的な構造を示し、外ブラケット１０、内磁気案内板２０、内マグネットリング３０、外マグネットリング４０、振動サウンドフィルム５０およびボイスコイル６０を備える。
【００１８】
当該内磁気案内板２０が外ブラケット１０内に設けられ、当該内磁気案内板２０に第１音導孔２１が開口され、第１音導孔２１の下方に順次第１制動調音布７１と第２制動調音布７２とが封止され、第１制動調音布７１の上方に第１制動トーンキャビティ７０１が形成され、第２制動調音布７２と第１制動調音布７１の間に第２制動トーンキャビティ７０２が形成されている。本実施形態では、前記内磁気案内板２０の底面中心に凹状キャビティ２２が設けられ、対応する内磁気案内板２０の表面中心にボス２３が設けられ、上記第１音導孔２１がボス２３に設けられて凹状キャビティ２２に連通する。
【００１９】
当該内マグネットリング３０が内磁気案内板２０に設けられ、当該外マグネットリング４０が内マグネットリング３０の周囲に位置するとともに、内マグネットリング３０との間でボイスコイル音響キャビティ３０１を形成する。本実施形態では、前記内マグネットリング３０が凹状キャビティ２２に嵌められ、当該第１制動調音布７１がマグネットリング３０の底面上に積層されるとともに凹状キャビティ２２内に位置する。そして、前記外マグネットリング４０が内磁気案内板２０の表面周縁に積層されるとともに外ブラケット１０内に位置し、外マグネットリング４０上に磁極板７３が積層されている。
【００２０】
当該振動サウンドフィルム５０が外ブラケット１０の上端開口を覆い、振動サウンドフィルム５０の縁下方に振動膜縁音響キャビティ５０１が形成されている。
【００２１】
当該ボイスコイル６０は、振動サウンドフィルム５０の底面に固定されるとともにボイスコイル音響キャビティ３０１に進入する。
【００２２】
更に、前記外ブラケット１０の底部に第２音導孔１１が開口され、当該第２制動調音布７２が第２音導孔１１を覆う。また、前記外ブラケット１０の底部に回路基板７４が設けられ、当該ボイスコイル６０が回路基板７４に電気的に接続されている。
【００２３】
本実施形態の動作原理の詳細は、下記のようになる。
【００２４】
まず、本実施形態では、斬新な二重マグネットリング構造設計が採用されている。外マグネットリング４０と内マグネットリング３０は、ボイスコイル６０の外側とボイスコイル６０の内側の内磁気案内板２０のキャビティにそれぞれ配置され、ボイスコイル６０が外マグネットリング４０と内マグネットリング３０とに取り囲まれ、磁極板７３と内磁気案内板２０とにより、ボイスコイル６０は、普通のラッパ磁気エネルギー駆動の複数倍強い最も原始的で最も直接なパワーを取得し、ボイスコイル６０と振動サウンドフィルム５０が磁気エネルギーを音エネルギーに転換する過程において振動サウンドフィルム５０の振動アークをより自然で飽和させる。次に、本実施形態で斬新なデュアル磁気回路構造設計が採用され、ボイスコイル６０がボイスコイル６０の内側及びボイスコイル６０の外側のマグネットリングによって周回され、ボイスコイル６０内外両側の磁気ギャップ空間で、安定な周回集中型磁束磁界が形成される。これにより、ボイスコイル６０から振動サウンドフィルム５０へ供給される必要な磁気エネルギーの量がより充実で安定であり、振動サウンドフィルム５０の発音振動時の振動周波数がより徹底的であり、音の超低周波数バンド及び極高周波数バンドでの音質再現を得る。さらに、本実施形態では、斬新なダブルトーンキャビティ構造設計が採用され、外ブラケット１０と内磁気案内板２０の間で独立した音響キャビティが形成される。音導孔により、ボールトップ音響キャビティ及び振動膜縁音響キャビティとボイスコイル中央音響キャビティにおける気圧が循環して互いに連通や補充し、新たな音場回路を発生する。音質再現では、二重制動トーンキャビティにおける音場回路がサウンドフィルムの発音振動時の不良分割運動を効果的に抑圧可能であり、分割運動による、サウンドフィルムがオーディオ信号を再現する時に発生したひずみ現象を解決や改善し、超高忠実度を有する音質レベルを得る。また、本実施形態では、斬新な二重制動調音設計が採用されることにより、音響キャビティ中の音響抵抗に対して２回の調整を行うことができ、音のバンド再現に対する音響的調整においてより全面で繊細であり、音の極低周波数/低周波数/中間周波数/高周波数及び極高周波数の間の相互バランスが一番良好な状態になる。同じ口径のラッパ条件において、音質の音場再現がより幅広くて、音色の表現がより繊細で、より全面でロスレスな高品質音楽再現が取得できる。
【００２５】
図２は、本考案の第２好適な実施形態の具体的な構造を示す。本実施形態の具体的な構造が上記第１好適な実施形態の具体的な構造とは基本的に同じであるが、その区別は、下記のようになる。
【００２６】
本実施形態では、前記内磁気案内板２０の底面中心に凹状キャビティ２２が設けられ、対応する内磁気案内板２０の表面中心にボス２３が設けられ、上記第１音導孔２１がボス２３に設けられて凹状キャビティ２２に連通し、上記内マグネットリング３０がボス２３外に嵌合され、内マグネットリング３０上に内磁極板７５が積層され、当該第１制動調音布７１が凹状キャビティ２２内に設けられ、当該外マグネットリング４０が内磁気案内板２０の表面周縁に積層されるとともに外ブラケット１０内に位置し、外マグネットリング４０上に外磁極板７６が積層されている。
【００２７】
本実施形態の動作原理の詳細が下記のようになる。
【００２８】
まず、本実施形態では、斬新な二重マグネットリング構造設計が採用されている。外マグネットリング４０と内マグネットリング３０は、ボイスコイル６０の外側と内側にそれぞれ配置され、ボイスコイル６０が外マグネットリング４０と内マグネットリング３０とに取り囲まれ、外磁極板７６と内磁気案内板２０とにより、ボイスコイル６０は、普通のラッパ磁気エネルギー駆動よりも２倍強い最も原始的で最も直接なパワーを取得し、ボイスコイル６０と振動サウンドフィルム５０が磁気エネルギーを音エネルギーに転換する過程において振動サウンドフィルム５０の振動アークをより自然で飽和させる。次に、本実施形態では、斬新なデュアル磁極板構造設計が採用されることにより、快速で効果的に伝送された磁気ギャップ中の磁気エネルギーがボイスコイル６０に到達し、ボイスコイル振動膜システムがオーディオ信号からの各繊細な動態瞬間を捉えることがより容易になり、ボイスコイル振動膜のシステム応答がより敏感で快速になり、ラッパのオーディオ信号応答の再現の高感度が達成し、オーディオ信号の瞬間変化を再現する高正確性が達成する。更に、本実施形態で斬新なデュアル磁気回路構造設計が採用され、ボイスコイル６０がボイスコイル６０の内側及びボイスコイル６０の外側のマグネットリングによって周回され、ボイスコイル６０内外両側の磁気ギャップ空間で、安定な周回集中型磁束磁界が形成される。これにより、ボイスコイル６０から振動サウンドフィルム５０へ供給される必要な磁気エネルギーの量がより充実で安定であり、振動サウンドフィルム５０の発音振動時の振動周波数がより徹底的であり、音の超低周波数バンド及び極高周波数バンドでの音質再現を得る。さらに、本実施形態では、斬新なダブルトーンキャビティ構造設計が採用され、外ブラケット１０と内磁気案内板２０の間で独立した音響キャビティが形成される。音導孔により、ボールトップ音響キャビティ及び振動膜縁音響キャビティとボイスコイル中央音響キャビティにおける気圧が循環して互いに連通や補充し、新たな音場回路を発生する。音質再現では、ダブルトーンキャビティにおける音場回路がサウンドフィルムの発音振動時の不良分割運動を効果的に抑圧可能であり、分割運動による、サウンドフィルムがオーディオ信号を再現する時に発生したひずみ現象を解決や改善し、超高忠実度を有する音質レベルを得る。また、本実施形態では、斬新な二重制動調音設計が採用されることにより、音響キャビティ中の音響抵抗に対して２回の調整を行うことができ、音のバンド再現に対する音響的調整においてより全面で繊細であり、音の極低周波数/低周波数/中間周波数/高周波数及び極高周波数の間の相互バランスが一番良好な状態になる。同じ口径のラッパ条件において、音質の音場再現がより幅広くて、音色の表現がより繊細で、より全面でロスレスな高品質音楽再現が取得できる。
【００２９】
図３は、本考案の第３好適な実施形態の具体的な構造を示す。本実施形態の具体的な構造が上記第１好適な実施形態の具体的な構造と基本的に同じであり、その区別は、下記のようになる。
【００３０】
本実施形態では、前記内磁気案内板２０の底部中心から下方へ延在して筒体２４が形成され、当該内マグネットリング３０が筒体２４外に嵌合されるとともに外ブラケット１０内に位置し、当該外マグネットリング４０が外ブラケット１０の外部に嵌合される。また、前記筒体２４の外端から下方に沿って外ブラケット１０の底部から伸び出て、筒体２４の外端に制動蓋７７が取り付けられ、当該第１制動調音布７１が筒体２４内に設けられ、第２制動調音布７２が制動蓋の７７の底部に積層されるとともに筒体２４の底部開口を覆う。
【００３１】
本実施形態の動作原理の詳細は、下記のようになる。
【００３２】
まず、本実施形態では、斬新な二重マグネットリング構造設計が採用されている。外マグネットリング４０と内マグネットリング３０は、ボイスコイル６０の外側とボイスコイル６０の内側の内磁気案内板２０のキャビティにそれぞれ配置され、ボイスコイル６０が外マグネットリング４０と内マグネットリング３０とに取り囲まれ、外ブラケット１０と内磁気案内板２０とにより、ボイスコイル６０は、普通のラッパ磁気エネルギー駆動の複数倍強い最も原始的で最も直接なパワーを取得し、ボイスコイル６０と振動サウンドフィルム５０が磁気エネルギーを音エネルギーに転換する過程において振動サウンドフィルム５０の振動アークをより自然で飽和させる。次に、本実施形態で斬新なデュアル磁気回路構造設計が採用され、ボイスコイル６０がボイスコイル６０の内側及びボイスコイル６０の外側のマグネットリングによって周回され、ボイスコイル６０内外両側の磁気ギャップ空間で、安定な周回集中型磁束磁界が形成される。これにより、ボイスコイル６０から振動サウンドフィルム５０へ供給される必要な磁気エネルギーの量がより充実で安定であり、振動サウンドフィルム５０の発音振動時の振動周波数がより徹底的であり、音の超低周波数バンド及び極高周波数バンドでの音質再現を得る。さらに、本実施形態では、斬新なダブルトーンキャビティ構造設計が採用され、外ブラケット１０と内磁気案内板２０の間で独立した音響キャビティが形成される。音導孔により、ボールトップ音響キャビティ及び振動膜縁音響キャビティとボイスコイル中央音響キャビティにおける気圧が循環して互いに連通や補充し、新たな音場回路を発生する。音質再現では、ダブルトーンキャビティにおける音場回路がサウンドフィルムの発音振動時の不良分割運動を効果的に抑圧可能であり、分割運動による、サウンドフィルムがオーディオ信号を再現する時に発生したひずみ現象を解決や改善し、超高忠実度を有する音質レベルを得る。また、本実施形態では、斬新な二重制動調音設計が採用されることにより、音響キャビティ中の音響抵抗に対して２回の調整を行うことができ、音のバンド再現に対する音響的調整においてより全面で繊細であり、音の極低周波数/低周波数/中間周波数/高周波数及び極高周波数の間の相互バランスが一番良好な状態になる。同じ口径のラッパ条件において、音質の音場再現がより幅広くて、音色の表現がより繊細で、より全面でロスレスな高品質音楽再現が取得できる。
【００３３】
本考案の設計の重点としては、本考案において、内マグネットリングと外マグネットリングとの設置により、デュアル磁気回路系の斬新な設計を形成して従来のスピーカ内部の磁気回路系の強磁力問題を変更や改善可能であるとともに、斬新なダブルトーンキャビティ構造設計と二重制動の調音設計の設置により、密閉キャビティ内特有の高品質の音色を完璧に体現可能である。
【００３４】
以上では、具体的な実施形態を組み合わせて本考案の技術原理を説明した。これらの記述が本考案の原理を解釈するために用いられるが、何れかの形態にて本考案の保護範囲に対する制限として解釈され得ない。ここでの解釈に基づくと、当業者は、進歩性に値する労働をせずに本考案の他の具体的な実施形態を想到し得る。これらの形態は、何れも本考案の保護範囲内に含まれる。
【符号の説明】
【００３５】
１０、外ブラケット
１１、第２音導孔
２０、内磁気案内板
２１、第１音導孔
２２、凹状キャビティ
２３、ボス
２４、筒体
３０、内マグネットリング
３０１、ボイスコイル音響キャビティ
４０、外マグネットリング
５０、振動サウンドフィルム
５０１、振動膜縁音響キャビティ
６０、ボイスコイル
７１、第１制動調音布
７２、第２制動調音布
７３、磁極板
７４、回路基板
７５、内磁極板
７６、外磁極板
７７、制動蓋
７０１、第１制動トーンキャビティ
７０２、第２制動トーンキャビティ
【図１】
0003217576.tif 000003
【図２】
0003217576.tif 000004
【図３】
0003217576.tif 000005